(57)【特許請求の範囲】
【請求項１】
発券機と、前記発券機にネットワークを介して接続される決済支援装置と、を備えた決済支援システムであって、
前記発券機は、クレジットカード番号と発券枚数を入力され、前記入力されたクレジットカード番号と発券枚数とを前記決済支援装置に送信し、
前記決済支援装置は、前記発券機から受信した発券枚数に応じて１つまたは複数のチケット番号を生成し、前記生成した１つまたは複数のチケット番号と前記発券機から受信したクレジットカード番号とを対応付けて記憶装置に記憶し、前記１つまたは複数のチケット番号を前記発券機に送信し、
前記発券機は、前記決済支援装置から前記１つのチケット番号を受信した場合には、前記受信した１つのチケット番号を備える１つのチケットを発券し、前記決済支援装置から複数のチケット番号を受信した場合には、前記受信した複数のチケット番号をそれぞれ備える複数のチケットを発券し、
前記複数のチケット番号は、互いに異なる番号である決済支援システム。
【請求項２】
請求項１に記載の決済支援システムであって、
前記決済支援装置にネットワークを介して接続される決済端末を備え、
前記決済端末は、チケット番号と決済金額を入力され、前記入力されたチケット番号と決済金額とを前記決済支援装置に送信し、
前記決済支援装置は、チケット番号とクレジットカード番号とを対応付けて記憶する記憶装置を備え、前記決済端末から受信したチケット番号に対応付けて記憶されているクレジットカード番号を前記記憶装置から読み出し、前記読み出したクレジットカード番号と前記決済端末から受信した決済金額とをネットワークを介して決済管理装置に送信し、前記決済管理装置から決済可否情報をネットワークを介して受信し、前記決済管理装置から受信した決済可否情報に応じた情報を前記決済端末に送信する決済支援システム。
【請求項３】
請求項１に記載の決済支援システムであって、
前記決済支援装置にネットワークを介して接続される第１決済端末及び第２決済端末を備え、
前記第１決済端末は、チケット番号を入力され、前記入力されたチケット番号と第１情報とを前記決済支援装置に送信し、
前記決済支援装置は、前記第１決済端末から受信したチケット番号と第１情報とを対応付けて記憶装置に記憶し、
前記第２決済端末は、チケット番号を入力され、前記入力されたチケット番号と第２情報とを前記決済支援装置に送信し、
前記決済支援装置は、前記第２決済端末から受信したチケット番号と第２情報とを対応付けて前記記憶装置に記憶し、
前記決済支援装置は、チケット番号とクレジットカード番号とを対応付けて記憶する前記記憶装置を備え、前記チケット番号に対応付けて記憶されている第１情報と第２情報を前記記憶装置から読み出し、前記読み出した第１情報と第２情報とを用いて決済金額を算出し、前記決済金額が算出されたチケット番号に対応付けて記憶されているクレジットカード番号を前記記憶装置から読み出し、前記読み出したクレジットカード番号と前記算出した決済金額とをネットワークを介して決済管理装置に送信する決済支援システム。
【請求項４】
発券機にネットワークを介して接続される決済支援装置であって、
前記発券機から受信した発券枚数に応じて前記１つまたは複数のチケット番号を生成し、
前記生成した１つまたは複数のチケット番号と前記発券機から受信したクレジットカード番号とを対応付けて記憶装置に記憶し、
前記１つまたは複数のチケット番号を前記発券機に送信し、
前記複数のチケット番号は、互いに異なる番号である決済支援装置。
【請求項５】
請求項４に記載の決済支援装置であって、
決済端末にネットワークを介して接続され、
チケット番号とクレジットカード番号とを対応付けて記憶する記憶装置を備え、
前記決済端末から受信したチケット番号に対応付けて記憶されているクレジットカード番号を前記記憶装置から読み出し、
前記読み出したクレジットカード番号と前記決済端末から受信した決済金額とをネットワークを介して決済管理装置に送信し、
前記決済管理装置から決済可否情報を受信し、
前記決済管理装置から受信した決済可否情報に応じた情報を前記決済端末に送信する決済支援装置。
【請求項６】
請求項４に記載の決済支援装置であって、
第１決済端末及び第２決済端末にネットワークを介して接続され、
前記第１決済端末から受信したチケット番号と第１情報とを対応付けて記憶装置に記憶し、
前記第２決済端末から受信したチケット番号と第２情報とを対応付けて前記記憶装置に記憶し、
チケット番号とクレジットカード番号とを対応付けて記憶する前記記憶装置を備え、
前記チケット番号に対応付けて記憶されている第１情報と第２情報を前記記憶装置から読み出し、
前記読み出した第１情報と第２情報とを用いて決済金額を算出し、
前記決済金額が算出されたチケット番号に対応付けて記憶されているクレジットカード番号を前記記憶装置から読み出し、
前記読み出したクレジットカード番号と前記算出した決済金額とをネットワークを介して決済管理装置に送信する決済支援装置。
【請求項７】
請求項４から６のいずれか一項に記載の決済支援装置にネットワークを介して接続される決済端末であって、
チケット番号と決済金額を入力され、
前記入力されたチケット番号と決済金額とを前記決済支援装置に送信し、
前記決済支援装置から決済可否情報に応じた情報を受信する決済端末。
【請求項８】
請求項４から６のいずれか一項に記載の決済支援装置にネットワークを介して接続される決済端末であって、
チケット番号を入力され、前記入力されたチケット番号を前記決済支援装置に送信する決済端末。
【請求項９】
請求項４から６のいずれか一項に記載の決済支援装置にネットワークを介して接続される発券機であって、
クレジットカード番号と発券枚数を入力され、
前記入力されたクレジットカード番号と発券枚数とを前記決済支援装置に送信し、
前記決済支援装置から１つまたは複数のチケット番号を受信し、
前記受信した１つまたは複数のチケット番号を備える１つまたは複数のチケットを発券する発券機。
【発明の詳細な説明】
【技術分野】
【０００１】
本発明は、決済支援システム、決済支援装置、決済端末、及び発券機、並びに決済方法に関する。
【背景技術】
【０００２】
ポストペイ型の電子マネーカード及びこれを用いた決済方法が提案されている（特許文献１参照）。特許文献１に記載の方法では、電子マネーカードを新たに発券し、個別にオーソリ予約を設定するものとされる。
【先行技術文献】
【特許文献】
【０００３】
【特許文献１】特開２０１７−６８５４３号公報
【発明の概要】
【発明が解決しようとする課題】
【０００４】
しかしながら、電子マネーカードを新たに発券し、個別にオーソリ予約を設定することには手間がかかる。【０００５】
そこで、本発明の一実施形態は、従来とは異なる方法での決済を可能にする決済支援システム、決済支援装置、決済端末、及び発券機、並びに決済方法を提供することを目的とする。
【課題を解決するための手段】
【０００６】
上記の課題は、例えば、次の本発明の一実施形態により解決することができる。【０００７】
発券機と、前記発券機にネットワークを介して接続される決済支援装置と、を備えた決済支援システムであって、
前記発券機は、クレジットカード番号と発券枚数を入力され、前記入力されたクレジットカード番号と発券枚数とを前記決済支援装置に送信し、
前記決済支援装置は、前記発券機から受信した発券枚数に応じて１つまたは複数のチケット番号を生成し、前記生成した１つまたは複数のチケット番号と前記発券機から受信したクレジットカード番号とを対応付けて記憶装置に記憶し、前記１つまたは複数のチケット番号を前記発券機に送信し、
前記発券機は、前記決済支援装置から前記１つのチケット番号を受信した場合には、前記受信した１つのチケット番号を備える１つのチケットを発券し、前記決済支援装置から複数のチケット番号を受信した場合には、前記受信した複数のチケット番号をそれぞれ備える複数のチケットを発券する決済支援システム。【０００８】
決済端末と、前記決済端末にネットワークを介して接続される決済支援装置と、を備えた決済支援システムであって、
前記決済端末は、チケット番号と決済金額を入力され、前記入力されたチケット番号と決済金額とを前記決済支援装置に送信し、
前記決済支援装置は、チケット番号とクレジットカード番号とを対応付けて記憶する記憶装置を備え、前記決済端末から受信したチケット番号に対応付けて記憶されているクレジットカード番号を前記記憶装置から読み出し、前記読み出したクレジットカード番号と前記決済端末から受信した決済金額とをネットワークを介して決済管理装置に送信し、前記決済管理装置から決済可否情報をネットワークを介して受信し、前記決済管理装置から受信した決済可否情報に応じた情報を前記決済端末に送信する決済支援システム。【０００９】
第１決済端末と、第２決済端末と、前記第１決済端末及び前記第２決済端末にネットワークを介して接続される決済支援装置と、を備えた決済支援システムであって、
前記第１決済端末は、チケット番号を入力され、前記入力されたチケット番号と第１情報とを前記決済支援装置に送信し、
前記決済支援装置は、前記第１決済端末から受信したチケット番号と第１情報とを対応付けて記憶装置に記憶し、
前記第２決済端末は、チケット番号を入力され、前記入力されたチケット番号と第２情報とを前記決済支援装置に送信し、
前記決済支援装置は、前記第２決済端末から受信したチケット番号と第２情報とを対応付けて前記記憶装置に記憶し、
前記決済支援装置は、チケット番号とクレジットカード番号とを対応付けて記憶する前記記憶装置を備え、前記チケット番号に対応付けて記憶されている第１情報と第２情報を前記記憶装置から読み出し、前記読み出した第１情報と第２情報とを用いて決済金額を算出し、前記決済金額が算出されたチケット番号に対応付けて記憶されているクレジットカード番号を前記記憶装置から読み出し、前記読み出したクレジットカード番号と前記算出した決済金額とをネットワークを介して決済管理装置に送信する決済支援システム。【００１０】
発券機にネットワークを介して接続される決済支援装置であって、
前記発券機から受信した発券枚数に応じて前記１つまたは複数のチケット番号を生成し、
前記生成した１つまたは複数のチケット番号と前記発券機から受信したクレジットカード番号とを対応付けて記憶装置に記憶し、
前記１つまたは複数のチケット番号を前記発券機に送信する決済支援装置。【００１１】
決済端末にネットワークを介して接続される決済支援装置であって、
チケット番号とクレジットカード番号とを対応付けて記憶する記憶装置を備え、
前記決済端末から受信したチケット番号に対応付けて記憶されているクレジットカード番号を前記記憶装置から読み出し、
前記読み出したクレジットカード番号と前記決済端末から受信した決済金額とをネットワークを介して決済管理装置に送信し、
前記決済管理装置から決済可否情報を受信し、
前記決済管理装置から受信した決済可否情報に応じた情報を前記決済端末に送信する決済支援装置。【００１２】
第１決済端末及び第２決済端末にネットワークを介して接続される決済支援装置であって、
前記第１決済端末から受信したチケット番号と第１情報とを対応付けて記憶装置に記憶し、
前記第２決済端末から受信したチケット番号と第２情報とを対応付けて前記記憶装置に記憶し、
チケット番号とクレジットカード番号とを対応付けて記憶する前記記憶装置を備え、
前記チケット番号に対応付けて記憶されている第１情報と第２情報を前記記憶装置から読み出し、
前記読み出した第１情報と第２情報とを用いて決済金額を算出し、
前記決済金額が算出されたチケット番号に対応付けて記憶されているクレジットカード番号を前記記憶装置から読み出し、
前記読み出したクレジットカード番号と前記算出した決済金額とをネットワークを介して決済管理装置に送信する決済支援装置。【００１３】
ネットワークを介して決済支援装置に接続される決済端末であって、
チケット番号と決済金額を入力され、
前記入力されたチケット番号と決済金額とを前記決済支援装置に送信し、
前記決済支援装置から決済可否情報に応じた情報を受信する決済端末。【００１４】
ネットワークを介して決済支援装置に接続される決済端末であって、
チケット番号を入力され、前記入力されたチケット番号を前記決済支援装置に送信する決済端末。【００１５】
ネットワークを介して決済支援装置に接続される発券機であって、
クレジットカード番号と発券枚数を入力され、
前記入力されたクレジットカード番号と発券枚数とを前記決済支援装置に送信し、
前記決済支援装置から１つまたは複数のチケット番号を受信し、
前記受信した１つまたは複数のチケット番号を備える１つまたは複数のチケットを発券する発券機。【００１６】
クレジットカードに対応付けて１つまたは複数のチケットを発券する工程と、
前記チケットを用いて前記クレジットカードでの決済を行う工程と、を有する決済方法。【００１７】
クレジットカードに対応付けられ、且つ有効期限が設定された１つまたは複数のチケットを発券する工程と、
前記チケットを用いて前記有効期限内に限り前記クレジットカードでの決済を行う工程と、を有する決済方法。
【発明の効果】
【００１８】
本発明の一実施形態によれば、チケット使用してクレジットカードでの決済を行うことができる。
【図面の簡単な説明】
【００１９】
【図１】実施形態１に係る決済支援システムの構成例を示す模式図である。
【図２】決済支援装置における記憶例を示す模式図である。
【図３】実施形態１に係る決済支援システムの動作例を示す模式図である。
【図４】実施形態２に係る決済支援システムの構成例を示す模式図である。
【図５】実施形態２に係る決済支援システムの動作例を示す模式図である。
【図６】実施形態３に係る決済支援システムの構成例を示す模式図である。
【図７】決済支援装置における記憶例を示す模式図である。
【図８】実施形態３に係る決済支援システムの動作例を示す模式図である。
【発明を実施するための形態】
【００２０】
以下、図面を参照しつつ、実施形態に係る決済支援システム１、２、３について説明する。決済支援システム１、２、３によれば、クレジットカードを所有していないが、例えばクレジットカードの所有者によりクレジットカードでの決済を許可された者（例：クレジットカードの所有者の家族）でも、クレジットカード所有者のクレジットカードにより、決済を行うことができる。例えば、父親のみがクレジットカードを所有する４人家族（例：父親、母親、息子、娘）について検討すると、決済支援システム１、２、３によれば、母親、息子、娘も、父親と同様に、決済支援システム１、２、３で提供されるチケット４０を使用して、父親の所有するクレジットカードで決済を行うことができる。決済支援システム１、２、３は、特に、旅先で家族などのグループが電車やバスなどの交通機関を利用して移動する場合や当該グループが別行動でショッピングなどを行う場合に適している。決済支援システム１、２、３によれば、グループのメンバー全員がクレジットカードを有していなくても、メンバーの中にクレジットカードの所有者がいれば、他のメンバーそれぞれは、当該所有者のクレジットカードを使用して決済を行うことができる。なお、クレジットカードの所有者も、チケット４０の発券を受け、チケット４０を使用して決済を行うことができる。上記の４人家族の例でいうと、父親も、母親、息子、娘と同様にチケット４０を使用して決済を行うことができる。このようにすれば、クレジットカードを利用できない、あるいは所定の限られたサービス会社のクレジットカードしか利用できない交通機関や店舗などにおいても、グループの全員が当該利用できないクレジットカードで決済を行うことができる。以下、決済支援システム１、２、３について、詳細に説明する。
【００２１】
［実施形態１に係る決済支援システム１］
図１は実施形態１に係る決済支援システムの構成例を示す模式図である。図１に示すように、実施形態１に係る決済支援システム１は、発券機１０と、発券機１０にネットワーク３０を介して接続される決済支援装置２０と、を備えている。
【００２２】
（発券機１０）
発券機１０は、例えば、施設内や路上などに設置することができる。施設には、駅、バス停、空港、フェリーターミナル、またはこれらを組み合わせた施設が含まれる。
【００２３】
発券機１０は、利用者等により情報を入力される機能を備えている。発券機１０に入力される情報には、クレジットカード番号が含まれる。また、発券機１０に入力される情報には、チケット４０の発券枚数を含めることができる。クレジットカードには、プラスチック製のカードのほか、非接触ＩＣチップや磁気カードなどが含まれる。クレジットカード番号は、文字、数字、記号、またはこれらを組み合わせた情報である。クレジットカード番号は、例えば、クレジットカード５０の表面に記されていてもよいし、及び／又は、電子データや磁気データとしてクレジットカードに記憶されていてもよい。発券機１０に入力される情報には、さらに、利用者に応じた属性（大人、子供）、及び／又は、チケット４０の有効期限が含まれていてもよい。ただし、有効期限は、利用者が発券機１０に入力して手動で設定するのではなく、発券機１０により自動的に設定されてもよい。発券機１０は、これらの情報の入力が可能となるように、例えば、タッチパネル、キーボード、テンキー、マイク、クレジットカード番号の画像を撮影し、撮影した画像からクレジットカード番号を特定するカメラ及び装置、クレジットカード番号を磁気情報として記憶する磁気カードからクレジット番号やその他のカード情報を読み取る磁気リーダ装置、クレジットカード番号を電子データとして記憶するＩＣチップから非接触でクレジットカード番号やその他のカード情報を読み取る非接触ＩＣリーダなどを備えていてもよいし、あるいは、これらに電気的に接続されていてもよい。
【００２４】
発券機１０は、さらに、チケット４０を発券する機能を有している。チケット４０には、紙媒体のほか、利用者が所有する電子機器が含まれる。電子機器には、例えば、スマートフォン、非接触ＩＣカード、あるいはこれらの装置が有するセキュアメモリの全領域または一部領域が含まれる。チケット４０を紙媒体にするか電子機器にするのかは、決済支援システムにおいて予め定められていてもよいし、利用者による上記したタッチパネルなどの操作により選択されてもよい。チケット４０が紙媒体である場合には、例えば、発券機１０は、複数の紙媒体（チケット番号が未記入であるもの）を予め備えておき、発券の都度、これらにチケット番号を記入し、チケット４０として発券機１０から排出などすることができる。
【００２５】
発券機１０は、決済支援装置２０から１つのチケット番号を受信した場合には、受信した１つのチケット番号を備える１つのチケットを発券し、決済支援装置２０から複数のチケット番号を受信した場合には、受信した複数のチケット番号をそれぞれ備える複数のチケットを発券する。
【００２６】
チケット番号を備えるとは、例えば、チケット４０が紙媒体である場合においては、チケット番号が紙媒体に記入されていることいい、チケット４０が電子機器である場合には、電子機器にチケット番号を記憶されていることをいう。チケット４０が紙媒体である場合、発券機１０は、紙媒体にチケット番号を印刷機やプリンタなどで記入し、チケット番号が記入された紙媒体を発券機１０から排出などすることにより、チケットを発券することができる。チケット４０が電子機器である場合、発券機１０は、電子機器にチケット番号を記憶することにより、チケット４０を発券することができる。電子機器にチケット番号を記憶させる場合は、例えば、発券機１０に電子機器を置く、あるいはかざしたりすることにより、発券機１０と電子機器が近接無線通信などを行ない易くしてもよい。発券機１０は、チケット番号に加えて、利用者に応じた属性や有効期限などをチケット４０に記入や記憶などすることができる。このようにすれば、利用者は、属性や有効期限をチケット４０において確認することができる。
【００２７】
チケット番号は、文字や数字などの形式でチケット４０に備えられてもよいし、文字や数字などが符号化されてなるコードの形式でチケット４０に備えられてもよい。コードは、例えば、一次元コード、二次元コード、あるいはこれらの組み合わせである。チケット番号がコードの形式で備えられる場合、発券機１０は、例えば、決済支援装置２０から受信したチケット番号を符号化してチケット４０に記入または記憶する、あるいは、コードに符号化されているチケット番号を決済支援装置２０から受信して、これをチケット４０に記入または記憶することができる。本明細書において、チケット番号の記入や記憶や送受信には、このように、チケット番号を文字や数字の形式でそのまま記入や記憶や送受信する場合のほか、チケット番号である文字や数字をコードの形式で記入や記憶や送受信する場合が含まれる。
【００２８】
発券機１０は、例えば、複数のチケット４０が発券される場合であって、チケット４０が紙媒体である場合には、１つの紙媒体に１つのチケット番号を記入し、チケット４０が電子機器である場合には、１つの電子機器に１つのチケット番号を記入する。
【００２９】
（決済支援装置２０）
決済支援装置２０は、決済支援を行う装置である。決済支援は、例えば、クレジットカード発行会社とクレジットカードの加盟店との間で行われる処理の支援、決済代行業者とクレジットカードの加盟店との間で行われる処理の支援、クレジットカード発行会社と決済代行業者との間で行われる処理の支援、またはこれらの組み合わせである。決済代行業者は、例えば、１社または複数のクレジットカード発行会社と店舗や駅やバス会社などの間に入って、店舗や駅やバス会社などが、１社または複数のクレジットカード発行会社による決済サービスを手軽に受けることができるようにする業者である。決済支援装置２０は、クレジットカード番号とチケット番号の紐付け（対応付け）などを行う。決済支援装置２０は、発券機１０にネットワーク３０を介して接続される。決済支援装置２０は、ＣＰＵ（Ｃｅｎｔｒａｌ  Ｐｒｏｃｅｓｓｉｎｇ  Ｕｎｉｔｓ）などの演算装置とハードディスク及び／又はフラッシュメモリなどの記憶装置を備えることができる。発券機１０と決済支援装置２０を接続するネットワーク３０には、インターネットや専用線などの他、様々なネットワークを利用することができる。
【００３０】
（記憶例）
図２は決済支援装置２０における記憶例を示す模式図である。図２に示すように、決済支援装置２０は、チケット番号とクレジットカード番号とを対応付けて記憶装置に記憶している。
【００３１】
１つのチケット番号に複数のクレジットカード番号を対応付けて記憶することもできるし、１つのチケット番号に１つのクレジットカード番号を対応付けて記憶することもできる。１つのチケット番号が複数のクレジットカード番号に対応付けて記憶される場合には、１つのチケットの使用時に、利用者が複数のクレジットカードのいずれかを指定などすることにより、複数のクレジットカードのいずれかで決済を行うことができる。他方、１つのチケット番号が１つのクレジットカード番号に対応付けて記憶される場合には、１つのチケット４０を使用して、１つのクレジットカード５０で決済を行うことができる。１つのチケット番号が１つのクレジットカード番号に対応付けて記憶される場合、利用者は、複数のクレジットカードのなかからいずれか１つを選択することなく、チケット４０を用いたクレジットカード５０での決済を行うことができる。
【００３２】
１つのクレジットカード番号には１つまたは複数のチケット番号を対応付けて記憶することができる。チケット番号には、さらに、上記した利用者に応じた属性（大人、子供）、及び／又は、チケット４０の有効期限を対応付けて記憶することもできる。
【００３３】
（動作例）
図３は実施形態１に係る決済支援システムの動作例を示す模式図である。以下、図３を参照しつつ、決済支援システム１の動作例を説明する。
【００３４】
（Ｓｔｅｐ１１）
まず、発券機１０が、クレジットカード番号と発券枚数を入力される。この入力は、例えば、利用者が発券機１０を操作することにより行われる。発券機１０は、さらに、利用者に応じた属性（大人、子供）及び／又はチケット４０の有効期限を入力されてもよい。また、発券機１０は、大人：１枚、子供２枚などの形式で、属性ごとの発券枚数を入力されることもできる。属性や有効期限を入力されるかどうかは、例えば、決済支援システム１に加盟する加盟店など（後述する決済端末６０、６１、６２を設置する店舗や鉄道会社やバス会社など）の要求により定めることができる。
【００３５】
（Ｓｔｅｐ１２）
次に、発券機１０が、入力されたクレジットカード番号と発券枚数とを決済支援装置２０に送信する。この送信は平文で行われてもよいが、暗号化されて行われることが好ましい。発券機１０は、利用者に応じた属性（大人、子供）、及び／又はチケット４０の有効期限が発券機１０に入力される場合には、さらにこれらの情報を決済支援装置２０に送信してもよい。決済支援装置２０に送信するチケット４０の有効期限は、発券機１０に入力されるのではなく、発券機１０が自ら設定することもできる。例えば、発券機１０は、クレジットカード番号が入力された日時に所定の期間を加算し、これを有効期限として設定することができる。
【００３６】
（Ｓｔｅｐ１３）
次に、決済支援装置２０が、発券機１０から受信した発券枚数に応じて１つまたは複数のチケット番号を生成し、生成した１つまたは複数のチケット番号と発券機１０から受信したクレジットカード番号とを対応付けて記憶装置に記憶する。決済支援装置２０は、発券機１０から受信した発券枚数がｎ（ｎは１以上の整数）である場合には、ｎ個のチケット番号を生成する。決済支援装置２０は、例えば、乱数を用いてチケット番号を生成してもよいし、予め用意された番号であって未使用のものを選択することによりチケット番号を生成してもよい。チケット番号とクレジットカード番号の対応付けられた記憶は、例えば図２に示すような形式で行われる。つまり、生成した１つ１つのチケット番号に、発券機１０から受信したクレジットカード番号を対応付けて記憶する。決済支援装置２０は、発券機１０から利用者に応じた属性（大人、子供）、及び／又はチケット４０の有効期限を受信した場合、これらも生成したチケット番号に対応付けて記憶することができる。決済支援装置２０は、有効期限を自ら設定してもよく、この場合は、自ら設定した有効期限を生成したチケット番号に対応付けて記憶することができる。例えば、決済支援装置２０は、発券機１０からクレジットカード番号を受信した日時やチケット番号を生成した日時などに所定の期間を加算し、これを有効期限として設定することができる。
【００３７】
（Ｓｔｅｐ１４）
次に、決済支援装置２０が、Ｓｔｅｐ１３で生成した１つまたは複数のチケット番号を発券機１０に送信する。この送信は平文で行われてもよいが、暗号化されて行われることが好ましい。決済支援装置２０は、発券機１０から受信した属性（大人、子供）及び／又はチケット４０の有効期限を発券機１０に送信することもできる。また、決済支援装置２０は、自ら設定したチケット４０の有効期限を発券機１０に送信することもできる。
【００３８】
（Ｓｔｅｐ１５）
発券機１０は、決済支援装置２０から１つのチケット番号を受信した場合、受信した１つのチケット番号を備える１つのチケット４０を発券する。発券機１０は、決済支援装置２０から複数のチケット番号を受信した場合には、受信した複数のチケット番号をそれぞれ備える複数のチケット４９を発券する。
【００３９】
以上説明した決済支援システム１によれば、クレジットカード５０に紐付けられたチケット４０を発券することができる。決済支援装置２０において１つのチケット番号には少なくとも１つのクレジットカード番号が対応付けられているため、チケット番号が記入されているチケット４０を使用して、クレジットカード５０による決済を行うことができる。
【００４０】
［実施形態２に係る決済支援システム２］
図４は実施形態２に係る決済支援システムの構成例を示す模式図である。図２に示すように、決済支援システム２は、決済端末６０と、決済端末６０にネットワーク３０を介して接続される決済支援装置２０と、を備えている。決済支援装置２０にはネットワーク３０を介して決済管理装置７０が接続されている。決済支援システム２は、例えば、利用者が店舗やレストランなどで商品やサービスを購入などする場合に好ましく適用することができる。
【００４１】
（決済端末６０）
決済端末６０は、チケット番号を読み取る機能を備えた装置である。決済端末６０には、例えば、店舗に設置されるレジやＰＯＳ端末などのほか、交通機関の施設に設置された装置（例：駅の改札機、バス停に設けられた端末）などを用いることができる。
【００４２】
（決済支援装置２０）
決済支援装置２０には、実施形態１で説明した決済支援装置２０と同じ装置を用いることができる。実施形態２においても、決済支援装置２０は、図２に示したような形式で、チケット番号とクレジットカード番号とを対応付けて記憶する記憶装置を備えている。また、同様に、決済支援装置２０は、利用者に応じた属性（大人、子供）及び／又はチケット４０の有効期限をチケット番号と対応付けて記憶装置に記憶することができる。
【００４３】
（決済管理装置７０）
決済管理装置７０は、決済を管理する装置である。決済管理装置７０には、クレジットカード発行会社や決済代行業者などにより管理されている公知の装置を用いることができる。決済管理装置７０は、オーソリ（オーソリゼーション。カード加盟店がクレジットカード発行会社に対して、カード利用者の与信照会をする手続き）やその仲介などの公知の処理を実行することができる。決済管理装置７０に対してチケット番号に基づいて直接に決済を要求しても決済を行うことはできないが、本実施形態によれば、決済支援装置２０がチケット番号をクレジットカード番号に変換してこれに基づき決済管理装置７０に決済を要求するため、個々のチケット４０を使用して、クレジットカード５０での決済を行うことができる。
【００４４】
決済管理装置７０は、ＣＰＵ（Ｃｅｎｔｒａｌ  Ｐｒｏｃｅｓｓｉｎｇ  Ｕｎｉｔｓ）などの演算装置とハードディスク及び／又はフラッシュメモリなどの記憶装置を備えることができる。決済支援装置２０と決済管理装置７０を接続するネットワーク３０には、インターネットや専用線などのほか、様々なネットワーク３０を利用することができる。
【００４５】
（動作例）
図５は実施形態２に係る決済支援システムの動作例を示す模式図である。以下、図５を参照しつつ、決済支援システム２の動作例を説明する。
【００４６】
（Ｓｔｅｐ２１）
まず、決済端末６０が、チケット番号と決済金額を入力される。決済端末６０への決済金額の入力は、例えば、決済端末６０が店舗に設置されたレジやＰＯＳ端末などである場合には、店員が、商品や商品の包装に付されている決済金額を、決済端末６０に接続されている光学装置などを介して読み取り、あるいは、決済金額を決済端末６０に接続されているキーボードなどに打ち込むことなどにより行うことができる。また、決済端末６０へのチケット番号の入力は、決済端末６０に接続されているリーダに利用者がチケット４０をかざしたり挿入したりなどすることにより行うことができる。
【００４７】
（Ｓｔｅｐ２２）
次に、決済端末６０が、入力されたチケット番号と決済金額とを決済支援装置２０に送信する。この送信は平文で行われてもよいが、暗号化されて行われることが好ましい。
【００４８】
（Ｓｔｅｐ２３）
次に、決済支援装置２０が、決済端末６０から受信したチケット番号に対応付けて記憶されているクレジットカード番号を記憶装置から読み出す。図２の例に基づき説明すると、例えば決済端末６０からチケット番号「ＡＡＡＡ」を受信した場合には、クレジットカード番号「１１１１１１１１１１１１１１１１」を読み出す。
【００４９】
（Ｓｔｅｐ２４）
次に、決済支援装置２０が、読み出したクレジットカード番号と決済端末６０から受信した決済金額とを決済管理装置７０に送信する。これにより、例えば与信照会が行われる。この送信は平文で行われてもよいが、暗号化されて行われることが好ましい。この与信照会には公知の方法を用いることができる。なお、チケット番号に利用者に応じた属性（大人、子供）及び／又はチケット４０の有効期限が対応付けて記憶されている場合、決済支援装置２０は、これらの情報に基づいて決済管理装置７０への送信の可否を判断することができる。例えば、決済支援装置２０は、チケット番号に対応付けられている属性が「大人」である場合や、チケット番号に対応付けて記憶されている有効期限がＳｔｅｐ２２で決済端末６０からチケット番号を受信した日時を過ぎていない場合などに限り、決済管理装置７０にクレジットカード番号と決済金額を送信してもよい。また、決済支援装置２０は、チケット番号に対応付けて記憶されている属性に基づいて、決済管理装置７０へ送信する決済金額を増減し、これを決済端末６０から受信した決済金額とすることができる。例えば、決済支援装置２０は、チケット番号に対応付けて記憶されている属性が「子供」である場合には、子供割引として、決済管理装置７０へ送信する決済金額を減額し（例えば半額にし）、これを決済端末６０から受信した決済金額とすることができる。このように、決済管理装置７０に送信する、「決済端末６０から受信した決済金額」には、決済端末６０から受信した決済金額そのもののほか、当該決済金額を減額することにより算出された決済金額も含まれる。
【００５０】
（Ｓｔｅｐ２５）
次に、決済支援装置２０が、決済管理装置７０から決済可否情報（例：与信照会の結果）を受信する。この受信は平文で行われてもよいが、暗号化されて行われることが好ましい。この決済可否情報の受信には公知の方法を用いることができる。
【００５１】
（Ｓｔｅｐ２６）
次に、決済支援装置２０が、決済管理装置７０から受信した決済可否情報に応じた情報を決済端末６０に送信する。この送信は平文で行われてもよいが、暗号化されて行われることが好ましい。
【００５２】
以上説明した決済支援システム２によれば、チケット番号が記入されているチケット４０を使用して、クレジットカード５０での決済を行うことができる。
【００５３】
［実施形態３に係る決済支援システム３］
図６は実施形態３に係る決済支援システムの構成例を示す模式図である。図６に示すように、決済支援システム３は、第１決済端末６１と、第２決済端末６２と、第１決済端末６１及び第２決済端末６２とにネットワーク３０を介して接続される決済支援装置２０と、を備えている。決済支援装置２０にはネットワーク３０を介して決済管理装置７０が接続されている。決済支援システム３は、例えば、電車やバスや駐車場（例：時間貸し駐車場）を利用する利用者の乗車賃決済に好ましく利用することができる。
【００５４】
（第１、第２決済端末６１、６２）
第１、第２決済端末６１、６２それぞれには、実施形態２で説明した決済端末６０を用いることができる。本実施形態において、第１、第２決済端末６１、６２は、例えば、駅やバス停に設置することができ、第２決済端末６２は、第１決済端末６１とは異なる駅やバス停に設置することができる。また、第１、第２決済端末６１、６２は、例えば、駐車場の入口に設置することができ、第２決済端末６２は、同じ駐車場の出口に設置することができる。
【００５５】
（記憶例）
図７は決済支援装置における記憶例を示す模式図である。本実施形態における決済支援装置は、図２に示す例で記憶される情報に加えて、図７に示ように、チケット番号と第１情報と第２情報とを対応付けて記憶装置に記憶することができる。第１、第２情報は、例えば駅、バス停、あるいは駐車場と入口／出口の別などを特定することができる情報（例：駅名、バス停名、駐車場名及び入口／出口を特定する情報）である。図２に示す情報と図７に示す情報は、例えば、同じ記憶装置における異なるテーブルに記憶することができる。
【００５６】
（動作例）
図８は実施形態３に係る決済支援システムの動作例を示す模式図である。以下、図８を参照しつつ、決済支援システム３の動作例を説明する。
【００５７】
（Ｓｔｅｐ３１）
まず、第１決済端末６１が、チケット番号を入力される。例えば、利用者が、第１決済端末６１に接続されているリーダにチケット４０をかざしたり挿入したりなどすることにより、第１決済端末６１にチケット番号が入力される。
【００５８】
（Ｓｔｅｐ３２）
次に、第１決済端末６１が、入力されたチケット番号と第１情報とを決済支援装置２０に送信する。第１情報は、例えば、第１決済端末６１が備える記憶装置に予め記憶されているものとする。
【００５９】
（Ｓｔｅｐ３３）
次に、決済支援装置２０が、例えば、図７に示すように、第１決済端末６１から受信したチケット番号と第１情報とを対応付けて記憶装置に記憶する。これにより、例えば、どのチケット番号のチケット４０を所有する利用者が、どの駅やバス停から電車やバスに乗車したのかなどを特定することが可能となる。また、例えば、どのチケット番号のチケット４０を所有する利用者が、どの駐車場に入場して駐車を行ったかなどを特定することが可能となる。
【００６０】
（Ｓｔｅｐ３４）
次に、第２決済端末６０が、チケット番号を入力される。例えば、利用者が、Ｓｔｅｐ３１の後、第１決済端末６１が設置されている駅やバス停などから電車やバスなどに乗車して第２決済端末６２が設置されている駅やバス停まで移動し、第２決済端末６２に接続されているリーダにチケット４０をかざしたり挿入したりすることにより、第２決済端末６２にチケット番号が入力される。また、例えば、利用者が、Ｓｔｅｐ３１の後、駐車を終えて駐車場の出口まで移動し、設置されている第２決済端末６２に接続されているリーダにチケット４０をかざしたり挿入したりなどすることにより、第２決済端末６２にチケット番号が入力される。
【００６１】
（Ｓｔｅｐ３５）
次に、第２決済端末６２が、入力されたチケット番号と第２情報とを決済支援装置２０に送信する。第２情報は、例えば、第２決済端末６２が備える記憶装置に予め記憶されているものとする。
【００６２】
（Ｓｔｅｐ３６）
次に、決済支援装置２０が、例えば、図７に示すように、第２決済端末６２から受信したチケット番号と第２情報とを対応付けて記憶装置に記憶する。これにより、例えば、どのチケット番号のチケット４０を所有する利用者がどの駅やバス停で降車したのかなどを特定することが可能となる。また、例えば、どのチケット番号のチケット４０を所有する利用者が、どの駐車場で駐車を終えたのかなどを特定することができる。
【００６３】
（Ｓｔｅｐ３７）
次に、決済支援装置２０が、チケット番号に対応付けて記憶されている第１情報と第２情報を記憶装置から読み出し、読み出した第１情報と第２情報とを用いて決済金額（例：乗車料金）を算出する。これにより、例えば、第１情報で特定される駅やバス停から乗車して第２情報で特定される駅やバス停で降車した場合の乗車料金を算出することできる。また、駐車料金を算出することができる。算出方法には様々な方法を用いることができる。例えば、決済支援装置２０は、あらかじめ第１情報と第２情報に対応付けて決済金額が記憶されている記憶装置を備えていてもよい。この場合、記憶装置から第１情報と第２情報とに対応付けて記憶されている決済金額を読み出すことにより、決済金額を算出することができる。また、決済支援装置２０は、第１情報と第２情報とに対応する決済金額を提供するサーバにネットワーク３０を介して問い合わせることにより、決済金額を算出することもできる。また、決済支援装置２０は、第１決済端末６１や第２決済端末６２から、第１情報や第２情報ととともにチケット番号が第１決済端末６１や第２決済端末６２に入力された日時を受信し、これらを第１情報や第２情報に対応付けて記憶し、第１情報に対応付けて記憶されている日時と第２情報に対応付けられている日時を用いて、決済金額を算出することもできる。例えば、駐車時間と駐車料金が対応付けて記憶されている記憶装置を備える場合には、第１情報に対応付けられている日時と第２情報に対応付けられている日時の差から駐車時間を算出し、算出した駐車時間に対応する駐車料金を記憶装置から読み出すことにより、決済金額を算出することができる。あるいは、算出した駐車時間に基づき、駐車時間に対応する駐車料金を提供するサーバにネットワーク３０を介して問い合わせることにより、決済金額を算出することもできる。
【００６４】
（Ｓｔｅｐ３８）
次に、決済支援装置２０が、図２に示す例で情報を記憶する記憶装置から、Ｓｔｅｐ３７で決済金額を算出したチケット番号に対応付けて記憶されているクレジットカード番号を読み出し、読み出したクレジットカード番号と算出した決済金額とを決済管理装置７０に送信する。これにより決済金額（例：乗車料金）の精算を実行することが可能となる。例えば、決済管理装置７０を管理するクレジットカード発行会社から、第１、第２決済端末６１、６２が設置されている駅やバス停を管理する鉄道会社やバス会社、あるいは駐車場を運営する会社に対して、算出した決済金額（例：乗車料金）に基づく金銭を、公知の方法により支払うことが可能となる。なお、図２に示すように、チケット番号に利用者に応じた属性（大人、子供）及び／又はチケット４０の有効期限が対応付けて記憶されている場合、決済支援装置２０は、チケット番号に対応付けて記憶されている属性に基づいて、決済管理装置７０へ送信する決済金額を増減し、これを決済端末６０から受信した決済金額とすることができる。例えば、決済支援装置２０は、チケット番号に対応付けて記憶されている属性が「子供」である場合には、子供割引として、決済管理装置７０へ送信する決済金額を減額し（例：半額にし）、これを決済端末６０から受信した決済金額とすることができる。このように、決済管理装置７０に送信する、「決済端末６０から受信した決済金額」には、決済端末６０から受信した決済金額そのもののほか、当該決済金額を減額することにより算出された決済金額も含まれる。
【００６５】
以上説明した決済支援システム３によっても、チケット番号が記入されているチケット４０を使用して、クレジットカード５０での決済を行うことができる。
【００６６】
決済支援システム３は駐車場における駐車料金の精算に適用する場合、１つの装置に第１決済端末６１と第２決済端末６２の役割を兼ねさせることができ、第１情報は駐車開始時間、第２情報は駐車終了時間とすることができる。この場合、第１決済端末６１と第２決済端末６２を区別することなく、両端末は単に決済端末とすることができる。
【００６７】
上記では、決済支援システム３をバスの乗車賃精算に適用する場合、第１、第２情報としてバス停名を用いる例を説明したが、第１、第２決済端末６１、６２は、ＧＰＳを用いて得られる位置情報を第１、第２情報として決済支援装置２０に送信することができる。この場合、決済支援装置２０は、位置情報である第１、第２情報に基づいてバスの乗車賃である決済金額を計算することができる。
【００６８】
上記の説明において、属性が子供である場合には決済金額を減額できるとしたが、減額を行うかどうかや減額の割合は、上記のシステムを利用する加盟店の要望により、自由に設定することができる。また、子供割引だけではなく、特定の日のみ決済金額を増額したり減額したり、この増額後あるいは減額との金額を決済金額として決済支援装置２０から決済管理装置７０へ送信することができる。
【００６９】
各装置を接続するネットワーク３０は複数の互いに異なるネットワークであってもよいが、一つの同じネットワークであってもよい。例えば、発券機１０と決済支援装置２０とを接続するネットワークは、決済支援装置２０と決済管理装置７０を接続するネットワークであってもよい。また、第１、第２決済端末６１、６２と決済支援装置２０とを接続するネットワークは、決済支援装置２０と決済管理装置７０を接続するネットワークであってもよい。
【００７０】
決済支援装置２０や決済管理装置７０は物理的に１つの装置であってもよいし、仮想的に１つの装置を構成する複数の装置であってもよい。
【００７１】
以上説明した実施形態１乃至３によれば、家族旅行などの場合において、家族分の電子マネーカードを発行・設定する必要がなく、煩雑な作業をしなければならない虞が抑制される。また、クレジットカード５０を持っていない家族（特に子供）も発券されたチケット４０を決済端末６０にかざすなどすることによってクレジットカード５０を有している者と同様に決済をシームレスに行うことが可能となり、特に海外旅行者には煩わしい電子マネーカードの購入不要は非常にメリットが高い。また、決済をシームレスに実現できるため、時間短縮に繋がりタイムリーな決済が可能となる。また、クレジットカード５０に紐づけられたチケット４０であるため、決済された料金は発券元クレジットカード５０にチャージされる。また、チケット４０の紛失時も紛失が分かった時点で利用者は発券したチケット４０を停止することができるため（例：決済支援装置２０における対応付けを解除）、被害を抑えることができる仕組みを持つ。チケット４０を紛失した場合、利用者は、例えば、決済支援装置２０の管理者に連絡をとり、チケットの機能停止を依頼することができるほか、モバイル端末や発券機１０を操作することにより、自らチケットの機能を停止してもよい。また、チケット４０に有効期限がある場合（所定時間経過後に、決済支援装置２０における対応付けを自動的に解除）にも被害を抑えることができる。また、チケット４０が紙媒体である場合に、決済端末６０が設置される加盟店側の運用コストも低く抑えられる。また、チケット４０で課金された決済金額は、クレジットカード番号に紐付けられて、クレジットカード５０にチャージされ合算請求することができる。また、例えば、チケット４０が発券可能か否かを、決済支援装置２０経由で決済管理装置７０に問い合わるようにしてもよい。チケット４０からチケット番号（クレジットカード番号に紐づけられる番号）を読み取り決済支援装置２０へ送信する際は、暗号化処理を行い第三者への漏洩を防ぐことが好ましい。また、例えば、利用者は、チケット４０の利用状況をＷＥＢ（Ｗｏｒｌｄ  Ｗｉｄｅ  Ｗｅｂ）で見ることもできる。例えば、利用者は、どこからどこまでの駅を利用していくらかかったかなどの情報をモバイル端末で見ることもできる。これらのＷＥＢは、例えば、決済支援装置２０の記憶装置に記憶されている情報に基づいて作成することができる。
【００７２】
上記した決済支援システム１、２、３は、様々な決済に利用することができる。上記した決済支援システム１、２、３は、例えば、旅行者による決済、特に海外からの旅行者による決済に好ましく利用することができる。なお、ここでいう海外とは、例えば、チケット４０を日本で利用する場合には日本以外の国をいい、チケット４０を米国で利用する場合には米国以外の国をいう。
【００７３】
以上、実施形態について説明したが、これらの説明によって特許請求の範囲に記載された構成は何ら限定されるものではない。
【符号の説明】
【００７４】
１、２、３  決済支援システム
１０    発券機
２０    決済支援装置
３０    ネットワーク
４０    チケット
５０    クレジットカード
６０    決済端末
６１    第１決済端末
６２    第２決済端末
７０    決済管理装置
【図１】
0006868877.tif 000002
【図２】
0006868877.tif 000003
【図３】
0006868877.tif 000004
【図４】
0006868877.tif 000005
【図５】
0006868877.tif 000006
【図６】
0006868877.tif 000007
【図７】
0006868877.tif 000008
【図８】
0006868877.tif 000009